(57)【特許請求の範囲】
【請求項１】
透明なガラス窓を保持する前面枠と、
前記前面枠に遊技者から見て前記前面枠の後方に位置して設けられ、遊技盤を支持する機構盤と、
前記遊技盤に設けられた図柄表示装置と、
前記遊技盤に前記図柄表示装置の後方に位置して設けられたセンタカバーと、
前記機構盤の後方に設けられ、左側部の回動軸を中心に前記前面枠と前記機構盤と前記センタカバーのそれぞれに対して回動可能なものであってパチンコ球を貯留する球タンクおよび球タンク内のパチンコ球を上皿に払出す球払出し機構のそれぞれを支持するメインセットと、
前記前面枠に設けられ、前板を有すると共に後面が開口する前ケースと、
前記メインセットに設けられ、前面が開口するものであって前記メインセットが後方から見て前記センタカバーを囲う閉鎖状態に回動操作されている場合に前記前ケースの後面を後方から閉鎖する後ケースと、
前記前ケースの前板に設けられた貫通孔状の第１の出力部と、
前記前ケースの内部に設けられ、前記第１の出力部を塞ぐように前向きに配置されたスピーカと、
前記前ケースの前板に前記第１の出力部の下方に位置して設けられた貫通孔状の第２の出力部を備え、
前記後ケースは、前記メインセットが閉鎖状態に回動操作されている場合に前記前ケースと共にバスレフ形のスピーカボックスを構成するものであって前記メインセットが閉鎖状態に回動操作されていない場合に前記前ケースの後面を開放するように前記前ケースに対して移動するものであることを特徴とするパチンコ機。
【請求項２】
透明なガラス窓を保持する前面枠と、
前記前面枠に遊技者から見て前記前面枠の後方に位置して設けられ、遊技盤を支持する機構盤と、
前記遊技盤に設けられた図柄表示装置と、
前記遊技盤に前記図柄表示装置の後方に位置して設けられたセンタカバーと、
前記機構盤の後方に設けられ、左側部の回動軸を中心に前記前面枠と前記機構盤と前記センタカバーのそれぞれに対して回動可能なものであってパチンコ球を貯留する球タンクおよび球タンク内のパチンコ球を上皿に払出す球払出し機構のそれぞれを支持するメインセットと、
前記前面枠に設けられ、前板を有すると共に後面が開口する前ケースと、
前記機構盤に前記前ケースの後方に位置して設けられ、前面および後面のそれぞれが開口する筒状をなすものであって前記前ケースに接続された中ケースと、
前記メインセットに設けられ、前面が開口するものであって前記メインセットが後方から見て前記センタカバーを囲う閉鎖状態に回動操作されている場合に前記中ケースの後面を後方から閉鎖する後ケースと、
前記前ケースの前板に設けられた貫通孔状の第１の出力部と、
前記前ケースの内部に設けられ、前記第１の出力部を塞ぐように前向きに配置されたスピーカと、
前記前ケースの前板に前記第１の出力部の下方に位置して設けられた貫通孔状の第２の出力部を備え、
前記後ケースは、前記メインセットが閉鎖状態に回動操作されている場合に前記前ケースおよび前記中ケースの双方と共にバスレフ形のスピーカボックスを構成するものであって前記メインセットが閉鎖状態に回動操作されていない場合に前記中ケースの後面を開放するように前記中ケースに対して移動するものであることを特徴とするパチンコ機。
【発明の詳細な説明】
【０００１】
【発明の属する技術分野】
本発明は、スピーカから外部に音を出力するパチンコ機に関する。
【０００２】
【発明が解決しようとする課題】
上記パチンコ機には、図柄の変動時にスピーカから効果音を流すことに基づいてリーチを予告したり、大当りの発生時にスピーカから楽曲を流すことに基づいて大当りの雰囲気を盛上げる構成のものがある。この構成の場合、スピーカをスピーカボックス内に組込むことに基づいて音質の改善を図ることが考えられているが、機本体の内部にスピーカボックスを納めるスペース的な余裕が少なく、スピーカボックスが機本体から大きく出張ってしまう。
【０００３】
本発明は上記事情に鑑みてなされたものであり、その目的は、スピーカボックスの出張り量を低減できるパチンコ機を提供することにある。
【０００４】
【課題を解決するための手段】
請求項１記載のパチンコ機は、透明なガラス窓を保持する前面枠と、前記前面枠に遊技者から見て前記前面枠の後方に位置して設けられ遊技盤を支持する機構盤と、前記遊技盤に設けられた図柄表示装置と、前記遊技盤に前記図柄表示装置の後方に位置して設けられたセンタカバーと、前記機構盤の後方に設けられ左側部の回動軸を中心に前記前面枠と前記機構盤と前記センタカバーのそれぞれに対して回動可能なものであってパチンコ球を貯留する球タンクおよび球タンク内のパチンコ球を上皿に払出す球払出し機構のそれぞれを支持するメインセットと、前記前面枠に設けられ前板を有すると共に後面が開口する前ケースと、前記メインセットに設けられ前面が開口するものであって前記メインセットが後方から見て前記センタカバーを囲う閉鎖状態に回動操作されている場合に前記前ケースの後面を後方から閉鎖する後ケースと、前記前ケースの前板に設けられた貫通孔状の第１の出力部と、前記前ケースの内部に設けられ前記第１の出力部を塞ぐように前向きに配置されたスピーカと、前記前ケースの前板に前記第１の出力部の下方に位置して設けられた貫通孔状の第２の出力部を備え、前記後ケースは前記メインセットが閉鎖状態に回動操作されている場合に前記前ケースと共にバスレフ形のスピーカボックスを構成するものであって前記メインセットが閉鎖状態に回動操作されていない場合に前記前ケースの後面を開放するように前記前ケースに対して移動するものであるところに特徴を有している。
上記手段によれば、スピーカがスピーカボックスに内蔵されているので、音質が向上する。しかも、スピーカボックスの一部分が前面枠に設けられ、スピーカボックスの他の一部分がメインセットに設けられている。このため、機本体の内部空間および構成部品が有効利用されるので、スピーカボックスが機本体内に極力納められ、スピーカボックスの出張り量が少なくなる。
請求項２記載のパチンコ機は、透明なガラス窓を保持する前面枠と、前記前面枠に遊技者から見て前記前面枠の後方に位置して設けられ遊技盤を支持する機構盤と、前記遊技盤に設けられた図柄表示装置と、前記遊技盤に前記図柄表示装置の後方に位置して設けられたセンタカバーと、前記機構盤の後方に設けられ左側部の回動軸を中心に前記前面枠と前記機構盤と前記センタカバーのそれぞれに対して回動可能なものであってパチンコ球を貯留する球タンクおよび球タンク内のパチンコ球を上皿に払出す球払出し機構のそれぞれを支持するメインセットと、前記前面枠に設けられ前板を有すると共に後面が開口する前ケースと、前記機構盤に前記前ケースの後方に位置して設けられ前面および後面のそれぞれが開口する筒状をなすものであって前記前ケースに接続された中ケースと、前記メインセットに設けられ前面が開口するものであって前記メインセットが後方から見て前記センタカバーを囲う閉鎖状態に回動操作されている場合に前記中ケースの後面を後方から閉鎖する後ケースと、前記前ケースの前板に設けられた貫通孔状の第１の出力部と、前記前ケースの内部に設けられ前記第１の出力部を塞ぐように前向きに配置されたスピーカと、前記前ケースの前板に前記第１の出力部の下方に位置して設けられた貫通孔状の第２の出力部を備え、前記後ケースは前記メインセットが閉鎖状態に回動操作されている場合に前記前ケースおよび前記中ケースの双方と共にバスレフ形のスピーカボックスを構成するものであって前記メインセットが閉鎖状態に回動操作されていない場合に前記中ケースの後面を開放するように前記中ケースに対して移動するものであるところに特徴を有している。
上記手段によれば、スピーカがスピーカボックスに内蔵されているので、音質が向上する。しかも、スピーカボックスの一部分が前面枠に設けられ、スピーカボックスの他の一部分が機構盤およびメインセットに設けられている。このため、機本体の内部空間および構成部品が有効利用されるので、スピーカボックスが機本体内に極力納められ、スピーカボックスの出張り量が少なくなる。
【０００７】
【発明の実施の形態】
以下、本発明の第１実施例を図１ないし図７に基づいて説明する。まず、図１の（ｂ）において、外枠１は前後方向に短尺な角筒状をなすものであり、外枠１の前面には、図１の（ａ）に示すように、下端部に位置して横長な下板部２が一体形成されている。尚、外枠１は合成樹脂を材料に形成されたものである。
【０００８】
外枠１には下板部２の上方に位置して合成樹脂製の前面枠３が左側辺部を中心に回動可能に装着されており、前面枠３の左右両側部には、図１の（ｂ）に示すように、後面が開口する前ケース４が一体形成されている。これら各前ケース４の前面には、図１の（ａ）に示すように、円孔状の出力部５および横長な楕円孔状の出力部６が形成されており、上方の各出力部５には前方から網７が被せられている。
【０００９】
前面枠３の後面には、図１の（ｂ）に示すように、合成樹脂製の機構盤８がねじ止めされている。この機構盤８は、図４の（ａ）に示すように、矩形枠状をなすものであり、機構盤８の内周部に扇形状をなす２個の取付片９および１０が一体形成されている。この機構盤８の内周部には遊技盤１１が嵌合されており、遊技盤１１は、図４の（ｂ）に示すように、各取付片１０の貫通孔１２を通して遊技盤１１にねじ１３を締め込むことに基づいて機構盤８に保持され、遊技盤１１の前面は、図１の（ａ）に示すように、機構盤８および前面枠３を通して前方に露出している。
【００１０】
機構盤８の左右両側部には、図２の（ａ）に示すように、前面が開口する後ケース１４が一体形成されており、各後ケース１４の前面開口部は前面枠３の前ケース４によって覆われている。これら各組の後ケース１４およびは前ケース４はバスレフ形のスピーカボックス１５を構成するものであり、各スピーカボックス１５内にはスピーカ１６が収納されている。これら各スピーカ１６は平面状の振動板（図示せず）を有するコーン形のものであり、上方の出力部５の周縁部に固定されている。
【００１１】
前面枠３の内周面には、図１の（ａ）に示すように、保持枠１７が固定されており、保持枠１７の内周部には金枠１８が左側辺部を中心に回動可能に装着されている。この金枠１８には透明なガラス窓（図示せず）が組込まれており、遊技盤１１の前面はガラス窓によって前方から覆われている。また、前面枠３の前面には右側部に位置して枠鍵１９が装着されており、枠鍵１９は前面枠３および金枠１８を閉鎖状態にロックしている。尚、符号２０は枠鍵１９を囲う枠飾りを示している。
【００１２】
前面枠３の前面には下端部に位置して下皿２１が固定されており、下皿２１の左下部には灰皿２２が固定されている。また、下皿２１の右下部には発射ハンドル２３が回動可能に装着されており、発射ハンドル２３の後方には発射モータ２４（図３参照）が装着されている。この発射モータ２４の回転軸にはクランク機構（図示せず）を介して打球槌２５が連結されており、発射ハンドル２３が図１の（ａ）の時計回り方向へ回動操作されると、発射モータ２４に電源が与えられ、打球槌２５が軸２６を中心に繰り返し回動する。
【００１３】
前面枠３の内周部には下端部に位置して横長な皿板２７が左側辺部を中心に回動可能に装着されており、皿板２７には上皿２８が固定されている。この上皿２８内にはパチンコ球（図示せず）が貯溜されており、打球槌２５が回動すると、上皿２８内のパチンコ球が打球槌２５によって弾かれる。
【００１４】
遊技盤１１の前面には外レール２９および内レール３０が固定されており、打球槌２５によって弾かれたパチンコ球は外レール２９および内レール３０間を通して遊技盤１１の上部に案内され、複数の障害釘（図示せず）に当りながら落下する。尚、複数の障害釘は遊技盤１１の前面に打込まれたものである。
【００１５】
遊技盤１１の前面には両スピーカボックス１５と略同一高さに位置して図柄表示装置３１が固定されている。この図柄表示装置３１は液晶表示部３２を有するものであり、遊技盤１１の前面には図柄表示装置３１の下方に位置して始動口３３が固定されている。この始動口３３内には始動口センサ３４（図６参照）が配設されており、始動口センサ３４は始動口３３内にパチンコ球が入球することに基づいて入球信号を出力する。
【００１６】
始動口センサ３４は、図６に示すように、メイン制御装置３５に接続されている。このメイン制御装置３５はマイクロコンピュータを主体に構成されたものであり、始動口センサ３４から入球信号が入力される時間的なタイミングに基づいて大当りおよび外れを判別したり、大当り図柄および外れ図柄を設定する。
【００１７】
メイン制御装置３５には表示制御装置３６が接続されており、表示制御装置３６にはドライブ回路３７を介して図柄表示装置３１の液晶表示部３２が接続されている。この表示制御装置３６はマイクロコンピュータを主体に構成されたものであり、メイン制御装置３５からの図柄表示指令に基づいて液晶表示部３２に各種の画面を表示する。以下、この画面の一例について説明する。
【００１８】
表示制御装置３６は、図７の（ａ）に示すように、液晶表示部３２の左列，中列，右列の各図柄を変動させ、左列および右列をメイン制御装置３５からの図柄表示指令に応じた図柄で順次停止させる。図７の（ｂ）は左列および右列が同一図柄で停止したリーチ画面を示すものであり、表示制御装置３６は左列の図柄および右列の図柄を停止させると、中列をメイン制御装置３５からの図柄表示指令に応じた図柄で停止させる。図７の（ｃ）は中列が左列および右列と異なる図柄で停止した外れ画面を示すものであり、図７の（ｄ）は中列が左列および右列と同一図柄で停止した大当り画面を示すものである。
【００１９】
前面枠３の前面には、図１の（ａ）に示すように、上端部に位置して枠ランプカバー３８が固定されている。この枠ランプカバー３８は組付部品に相当するものであり、枠ランプカバー３８内には複数の枠ランプ３９が配設されている。これら複数の枠ランプ３９は、図６に示すように、ドライブ回路４０を介してメイン制御装置３５に接続されており、メイン制御装置３５は大当りの発生時等に複数の枠ランプ３９を発光制御し、パチンコホールの従業員等に大当りの発生を知らせる。
【００２０】
遊技盤１１の前面には、図１の（ａ）に示すように、始動口３３の下方に位置して大入賞口４１が固定されている。この大入賞口４１は扉４２を有するものであり、扉４２は大入賞口ソレノイド４３（図６参照）のプランジャに連結されている。この大入賞口ソレノイド４３は、図６に示すように、ドライブ回路４４を介してメイン制御装置３５に接続されており、メイン制御装置３５は大当りを判定することに基づいて大入賞口ソレノイド４３に電源を与える。すると、大入賞口ソレノイド４３のプランジャの移動に基づいて扉４２が回動し、大入賞口４１が開放される。
【００２１】
大入賞口４１内には大入賞口センサ４５が配設されている。この大入賞口センサ４５は大入賞口４１内にパチンコ球が入球することに基づいて入球信号を出力するものであり、賞球制御装置４６に接続されている。この賞球制御装置４６はマイクロコンピュータを主体に構成されたものであり、大入賞口センサ４５からの入球信号をカウントすることに基づいてパチンコ球の入球個数を計測する。
【００２２】
遊技盤１１の後面には、図３に示すように、図柄表示装置３１の後方に位置して合成樹脂製のセンタカバー４７が固定されている。また、機構盤８には合成樹脂製のメインセット４８が前面枠３と同一の側辺部を中心に回動可能に装着されている。このメインセット４８は、図５に示すように、前面枠３側に回動した状態に保持されることに基づいてセンタカバー４３を囲う枠状をなすものであり、メインセット４８の後面には、図３に示すように、上端部に位置して球タンク４９が固定され、球タンク４９内にはパチンコ球が貯溜されている。
【００２３】
メインセット４８にはパチンコ球の通路に相当するタンクレール５０および球払出しケース５１が固定されている。この球払出しケース５１内はタンクレール５０を介して球タンク４９内に通じており、球払出しケース５１内には球タンク４９内からタンクレール５０を通してパチンコ球が供給される。
【００２４】
球払出しケース５１内には球払出し機構が収納されている。この球払出し機構はスプロケット５２および球払出しソレノイド５３を有するものであり、スプロケット５２は球払出しソレノイド５３の駆動毎に設定ピッチだけ回動して球払出しケース５１内から設定個数のパチンコ球を送り出す。この球払出しソレノイド５３は、図６に示すように、ドライブ回路５４を介して賞球制御装置４６に接続されており、賞球制御装置４６は入球個数の計測結果に基づいて球払出しソレノイド５３を駆動制御し、球払出しケース５１内から計測結果に応じた個数のパチンコ球を払出す。
【００２５】
メインセット４８には、図３に示すように、パチンコ球の通路に相当する上皿通路５５が設けられている。この上皿通路５５は球払出しケース５１内と上皿２８内とを繋ぐものであり、球払出しケース５１内から払い出されたパチンコ球は上皿通路５５を通して上皿２８内に供給される。また、メインセット４８にはパチンコ球の通路に相当する下皿通路５６が設けられている。この下皿通路５６は上皿２８内と下皿２１内とを繋ぐものであり、上皿２８内から溢れたパチンコ球は下皿通路５６を通して下皿２１内に供給される。
【００２６】
尚、図１および図３の符号５７は外枠１，前面枠３，機構盤８，遊技盤１１，保持枠１７，ガラス窓，金枠１８，枠鍵１９，枠飾り２０，下皿２１，灰皿２２，皿板２７，上皿２８，枠ランプカバー３８，センタカバー４７，メインセット４８，球タンク４９等を有する機本体を示すものである。
【００２７】
メイン制御装置３５には、図６に示すように、マイクロコンピュータを主体に構成された音響制御装置５８が接続されている。この音響制御装置５８は音響メモリ５９を内蔵するものであり、音響メモリ５９にはリーチの発生を予告する曲データ，リーチ発生時のドキドキ感を表現する曲データ，大当り発生時の喜びを表現する曲データ等が記憶されている。
【００２８】
音響制御装置５８にはデジタルシグナルプロセッサ６０（ＤＳＰ６０）が接続されており、ＤＳＰ６０は音響制御装置５８から与えられる曲データを処理して演奏データを生成する。このＤＳＰ６０にはＤ／Ａコンバータ６１および増幅器６２を介して両スピーカ１６が接続されており、両スピーカ１６はＤＳＰ６０からＤ／Ａコンバータ６１および増幅器６２を通してアナログの演奏データが与えられることに基づいて曲データを演奏する。
【００２９】
メイン制御装置３５は、図７の（ａ）に示すように、図柄表示装置３１の液晶表示部３２に図柄の変動画面を表示しているときには音響制御装置５８に予告リーチ用の曲データの演奏を指令する。そして、両スピーカ１６からスピーカボックス１５の出力部５および６を通して予告リーチ用の曲を出力し、図柄の変動画面がリーチ画面に発展する期待感を高める。
【００３０】
メイン制御装置３５は、図７の（ｂ）に示すように、液晶表示部３２にリーチ画面を表示しているときには音響制御装置５８にリーチ用の曲データの演奏を指令し、図７の（ｄ）に示すように、大当り画面を表示しているときには大当り用の曲データの演奏を指令する。そして、両スピーカ１６からスピーカボックス１５の出力部５および６を通してリーチ用の曲および大当り用の曲を出力し、リーチ画面が大当り画面に発展する期待感を高めたり、大当りが発生した喜びを高める。
【００３１】
上記第１実施例によれば、スピーカボックス１５にスピーカ１６を内蔵したので、音質が向上し、遊技のおもしろさが高まる。しかも、スピーカボックス１５を機本体５７の前面枠３および機構盤８に分割して設け、前面枠３，金枠１８，皿板２７，メインセット４８が閉鎖状態に回動した遊技可能時にスピーカボックス１５を構成した。このため、機本体５７の内部空間および構成部品が有効利用されるので、スピーカボックス１５が機本体５７内に極力納められ、スピーカボックス１５の前方への出張り量が少なくなる。
【００３２】
また、スピーカボックス１５を図柄表示装置３１と略同一高さに配置したので、スピーカボックス１５が遊技者の耳に近付く。このため、スピーカボックス１５から遊技者の耳に届くまでの間に音にパチンコホールの喧騒が乗り難くなるので、遊技者が音を聞取り易くなり、遊技のおもしろさが一層高まる。
【００３３】
尚、上記第１実施例においては、機構盤８に後ケース１４を一体形成したが、これに限定されるものではなく、例えば機構盤８に後ケース１４を組付けても良い。
【００３４】
次に本発明の第２実施例を図８に基づいて説明する。機構盤８のうちメインセット４８の回動軸と反対の右側部には後ケース１４に換えて中ケース６３が一体形成されている。この中ケース６３は前後面が開口する角筒状をなすものであり、メインセット４８には中ケース６３の後方に位置して後ケース６４が一体形成されている。この後ケース６４は前面が開口するものであり、前方の中ケース６３および前ケース４と共にバスレフ形のスピーカボックス６５を構成している。
【００３５】
上記第２実施例によれば、スピーカボックス６５にスピーカ１６を内蔵したので、音質が向上する。しかも、スピーカボックス６５を機本体５７の前面枠３と機構盤８とメインセット４８とに分割して設け、前面枠３およびメインセット４８等が閉鎖状態に回動した遊技可能時にスピーカボックス６５を構成したので、機本体５７の内部空間および構成部品が有効利用され、スピーカボックス６５の前方への出張り量が少なくなる。
【００３６】
尚、上記第２実施例においては、機構盤８およびメインセット４８に中ケース６３および後ケース６４を一体形成したが、これに限定されるものではなく、例えば機構盤８およびメインセット４８に中ケース６３および後ケース６４を組付けても良い。
【００３７】
次に本発明の第３実施例を図９に基づいて説明する。メインセット４８のうち回動軸と反対の右側部には後ケース６６が一体形成されている。この後ケース６６は前面が開口するものであり、前方の前ケース４と共にバスレフ形のスピーカボックス６７を構成している。
【００３８】
上記第３実施例によれば、スピーカボックス６７にスピーカ１６を内蔵したので、音質が向上する。しかも、スピーカボックス６７を機本体５７の前面枠３とメインセット４８とに分割して設け、前面枠３およびメインセット４８等が閉鎖状態に回動した遊技可能時にスピーカボックス６７を構成したので、機本体５７の内部空間および構成部品が有効利用され、スピーカボックス６７の前方への出張り量が少なくなる。
【００３９】
尚、上記第３実施例においては、メインセット４８に後ケース６６を一体形成したが、これに限定されるものではなく、例えばメインセット４８に後ケース６６を組付けても良い。
また、上記第１ないし第３実施例においては、前面枠３に前ケース４を一体形成したが、これに限定されるものではなく、例えば前面枠３に前ケース４を組付けても良い。
【００４０】
次に本発明の第４実施例を図１０に基づいて説明する。枠ランプカバー３８の左右両端部には、図１０の（ａ）に示すように、前ケース６８が一体形成されている。これら各前ケース６８は、図１０の（ｂ）に示すように、後面が開口するものであり、各前ケース６８の前面には円孔状の出力部６９が形成され、各出力部６９には前方から網７０が被せられている。
【００４１】
機構盤８の上端部には各前ケース６８の後方に位置して後ケース７１が一体形成されており、前面枠３の上端部には各後ケース７１の前方に位置して貫通孔７２が形成されている。これら各後ケース７１は前面が開口するものであり、各後ケース７１内は前方の貫通孔７２を介して前ケース６８内に繋がっている。これら各組の前ケース６８と貫通孔７２の内周面と後ケース７１とは密閉形のスピーカボックス７３を構成するものであり、各スピーカボックス７３内にはスピーカ１６が収納され、各スピーカ１６は出力部６９の周縁部に固定されている。
【００４２】
上記第４実施例によれば、スピーカボックス７３にスピーカ１６を内蔵したので、音質が向上する。しかも、スピーカボックス７３を機本体５７の枠ランプカバー３８と前面枠３と機構盤８とに分割して設け、前面枠３等が閉鎖状態に回動した遊技可能時にスピーカボックス７３を構成したので、機本体５７の内部空間および構成部品が有効利用され、スピーカボックス７３の前方への出張り量が少なくなる。
【００４３】
また、スピーカボックス７３を機本体５７の左上隅部および右上隅部に設けた。これら機本体５７の左上隅部および右上隅部は他部品が少なくてスペース的な余裕があるので、スピーカボックス７３を機本体５７に分割して設けるにあたって他部品の形状や大きさ等を変える設計的な手間が少なくて済む。
【００４４】
尚、上記第４実施例においては、機構盤８に後ケース７１を一体形成したが、これに限定されるものではなく、例えば機構盤８に後ケース７１を組付けても良い。
【００４５】
次に本発明の第５実施例を図１１に基づいて説明する。機構盤８には各後ケース７１に換えて中ケース７４が一体形成されている。これら各中ケース７４は前後面が開口する角筒状をなすものであり、メインセット４８には各中ケース７４の後方に位置して後ケース７５が一体形成されている。これら各後ケース７５は前面が開口するものであり、前方の中ケース７４と貫通孔７２の内周面と前ケース６８と共に密閉形のスピーカボックス７６を構成している。
【００４６】
上記第５実施例によれば、スピーカボックス７６にスピーカ１６を内蔵したので、音質が向上する。しかも、スピーカボックス７６を機本体５７の枠ランプカバー３８と前面枠３と機構盤８とメインセット４８とに分割して設け、前面枠３およびメインセット４８等が閉鎖状態に回動した遊技可能時にスピーカボックス７６を構成したので、機本体５７の内部空間および構成部品が有効利用され、スピーカボックス７６の前方への出張り量が少なくなる。
【００４７】
尚、上記第５実施例においては、機構盤８およびメインセット４８に中ケース７４および後ケース７５を一体形成したが、これに限定されるものではなく、例えば機構盤８およびメインセット４８に中ケース７４および後ケース７５を組付けても良い。
【００４８】
次に本発明の第６実施例を図１２に基づいて説明する。メインセット４８には枠ランプカバー３８の各前ケース６８の後方に位置して後ケース７７が一体形成されている。これら各後ケース７７は前面が開口するものであり、前方の前ケース６８と共に密閉形のスピーカボックス７８を構成している。
【００４９】
上記第６実施例によれば、スピーカボックス７８にスピーカ１６を内蔵したので、音質が向上する。しかも、スピーカボックス７８を機本体５７の枠ランプカバー３８と前面枠３とメインセット４８とに分割して設け、前面枠３およびメインセット４８等が閉鎖状態に回動した遊技可能時にスピーカボックス７８を構成したので、機本体５７の内部空間および構成部品が有効利用され、スピーカボックス７８の前方への出張り量が少なくなる。
【００５０】
尚、上記第６実施例においては、メインセット４８に後ケース７７を一体形成したが、これに限定されるものではなく、例えばメインセット４８に後ケース７７を組付けても良い。
【００５１】
次に本発明の第７実施例を図１３に基づいて説明する。前面枠３には枠ランプカバー３８の各前ケース６８の後方に位置して後ケース７９が一体形成されている。これら各後ケース７９は前面が開口するものであり、前方の前ケース６８と共に密閉形のスピーカボックス８０を構成している。
【００５２】
上記第７実施例によれば、スピーカボックス８０にスピーカ１６を内蔵したので、音質が向上する。しかも、スピーカボックス８０を機本体５７の枠ランプカバー３８と前面枠３とに分割して設けたので、機本体５７の内部空間および構成部品が有効利用され、スピーカボックス８０の前方への出張り量が少なくなる。尚、上記第４ないし第７実施例においては、枠ランプカバー３８に前ケース６８を一体形成したが、これに限定されるものではなく、例えば枠ランプカバー３８に前ケース６８を組付けても良い。
【００５３】
次に本発明の第８実施例を図１４に基づいて説明する。前面枠３には、図１４の（ａ）に示すように、枠ランプカバー３８の左右両側部に位置して前ケース８１が一体形成されている。これら各前ケース８１は、図１４の（ｂ）に示すように、後面が開口するものであり、各前ケース８１の前面には円孔状の出力部８２が形成され、各出力部８２には前方から網８３が被せられている。
【００５４】
機構盤８には前面枠３の各前ケース８１の後方に位置して後ケース８４が一体形成されている。これら各後ケース８４は前面が開口するものであり、前ケース８１と共に密閉形のスピーカボックス８５を構成している。これら各スピーカボックス８５内にはスピーカ１６が収納されており、各スピーカ１６は出力部８２の周縁部に固定されている。
【００５５】
上記第８実施例によれば、スピーカボックス８５にスピーカ１６を内蔵したので、音質が向上する。しかも、スピーカボックス８５を機本体５７の前面枠３と機構盤８とに分割して設け、前面枠３等が閉鎖状態に回動した遊技可能時にスピーカボックス８５を構成したので、機本体５７の内部空間および構成部品が有効利用され、スピーカボックス８５の前方への出張り量が少なくなる。
【００５６】
尚、上記第８実施例においては、前面枠３および機構盤８に前ケース８１および後ケース８４を一体形成したが、これに限定されるものではなく、例えば前面枠３および機構盤８に前ケース８１および後ケース８４を組付けても良い。
また、上記第８実施例においては、機構盤８に後ケース８４を一体形成したが、これに限定されるものではなく、例えばメインセット４８に後ケースを一体形成したり、メインセット４８に後ケースを組付けても良い。
【００５７】
また、上記第１ないし第８実施例においては、遊技盤１１に図柄表示装置３１を組付けたが、これに限定されるものではなく、例えば図柄表示装置３１に換えて中央役物を組付けても良い。この中央役物は遊技盤１１の始動口内にパチンコ球が入球することに基づいて開放動作を行うものであり、開放動作中に中央役物のＶゾーン内にパチンコ球が入球することに基づいて大当り動作を行う。
【００５８】
また、上記第１ないし第８実施例においては、図柄表示装置３１に図柄変動画面，リーチ画面，大当り画面が表示されているときにスピーカ１６から音楽を出力したが、これに限定されるものではなく、例えば音楽に換えて効果音を出力しても良い。
【００５９】
また、上記第１ないし第８実施例においては、図柄表示装置３１の画面に応じた音をスピーカ１６から出力したが、これに限定されるものではなく、例えば遊技者が発射ハンドル２３に触れたときに「いらっしゃいませ！  がんばって下さい！！」という音声を出力しても良い。
【００６０】
また、上記第１ないし第８実施例においては、平面状の振動板を有するコーン形のスピーカ１６を用いたが、これに限定されるものではなく、例えばコーン状の振動板を有するコーン形のスピーカを用いたり、半球面状の振動板を有するドーム形のスピーカを用いても良い。上記実施例には特許請求の範囲に記載された発明に加えて次のその他発明１〜その他発明３のそれぞれが記載されている。
［その他発明１］
機本体に設けられスピーカを内蔵するスピーカボックスを備え、前記スピーカボックスが前記機本体の複数の構成部品に分割して設けられ、前記機本体が遊技可能な状態にあるときに前記複数の構成部品が前記スピーカボックスを構成することを特徴とするパチンコ機。
その他発明１によれば、スピーカがスピーカボックスに内蔵されているので、音質が向上する。しかも、スピーカボックスが機本体の複数の構成部品に分割して設けられている。このため、機本体の内部空間および構成部品が有効利用されるので、スピーカボックスが機本体内に極力納められ、スピーカボックスの出張り量が少なくなる。
［その他発明２］
外枠と、前記外枠の前面に回動可能に設けられる前面枠と、前記前面枠の後面に設けられ遊技盤を保持する機構盤と、前記機構盤の後面に回動可能に設けられパチンコ球の通路を有するメインセットと、スピーカを内蔵するスピーカボックスとを備え、前記スピーカボックスの一部分が前記前面枠に設けられ、前記スピーカボックスの他の一部分が前記機構盤，前記メインセットの少なくとも一部材に設けられていることを特徴とするパチンコ機。
その他発明２によれば、スピーカがスピーカボックスに内蔵されているので、音質が向上する。しかも、スピーカボックスの一部分が前面枠に設けられ、スピーカボックスの他の一部分が機構盤，メインセットの少なくとも一部材に設けられている。このため、機本体の内部空間および構成部品が有効利用されるので、スピーカボックスの出張り量が少なくなる。
［その他発明３］
外枠と、前記外枠の前面に回動可能に設けられる前面枠と、前記前面枠の前面に組付けられる組付部品と、前記前面枠の後面に設けられ遊技盤を保持する機構盤と、前記機構盤の後面に回動可能に設けられパチンコ球の通路を有するメインセットと、スピーカを内蔵するスピーカボックスとを備え、前記スピーカボックスの一部分が前記組付部品に設けられ、前記スピーカボックスの他の一部分が前記前面枠，前記機構盤，前記メインセットの少なくとも一部材に設けられていることを特徴とするパチンコ機。
その他発明３によれば、スピーカがスピーカボックスに内蔵されているので、音質が向上する。しかも、スピーカボックスの一部分が組付部品に設けられ、スピーカボックスの他の一部分が前面枠，機構盤，メインセットの少なくとも一部材に設けられている。このため、機本体の内部空間および構成部品が有効利用されるので、スピーカボックスの出張り量が少なくなる。
【００６１】
以上の説明から明らかなように、本発明のパチンコ機は次の効果を奏する。
請求項１および２のそれぞれに記載の手段によれば、スピーカをスピーカボックスに内蔵したので、音質が向上する。しかも、スピーカボックスを機本体の複数の構成部品に分割して設けたので、スピーカボックスの出張り量が少なくなる。
【００６２】
請求項３記載の手段によれば、スピーカをスピーカボックスに内蔵したので、音質が向上する。しかも、スピーカボックスの一部分を前面枠に設け、スピーカボックスの他の一部分を前面枠，機構盤，メインセットの少なくとも一部材に設けたので、スピーカボックスの出張り量が少なくなる。
【図面の簡単な説明】
【図１】本発明の第１実施例を示す図（ａは全体構成を示す前面図、ｂはＸｂ線に沿う断面図）
【図２】（ａ）は図１のＸ2 線に沿う断面図、（ｂ）はＸ2 線に沿う断面をスピーカボックスの分解状態で示す図
【図３】全体構成を示す後面図
【図４】（ａ）は機構盤を示す前面図、（ｂ）はＸｂ線に沿う断面図、（ｃ）はＸｃ線に沿う断面図
【図５】メンセットを示す前面図
【図６】電気的構成を示すブロック図
【図７】図柄表示装置の画面を示す図
【図８】本発明の第２実施例を示す図２の（ａ）相当図
【図９】本発明の第３実施例を示す図２の（ａ）相当図
【図１０】本発明の第４実施例を示す図（ａは全体構成を示す前面図、ｂはＸｂ線に沿う断面図）
【図１１】本発明の第５実施例を示す図１０の（ｂ）相当図
【図１２】本発明の第６実施例を示す図１０の（ｂ）相当図
【図１３】本発明の第７実施例を示す図１０の（ｂ）相当図
【図１４】本発明の第８実施例を示す図（ａは全体構成を示す前面図、ｂはＸｂ線に沿う断面図）
【符号の説明】
１は外枠、３は前面枠、８は機構盤、１１は遊技盤、１５はスピーカボックス、１６はスピーカ、３８は枠ランプカバー（組付部品）、４８はメインセット、５０はタンクレール（通路）、５１は球払出しケース（通路）、５５は上皿通路（通路）、５６は下皿通路（通路）、５７は機本体、６５はスピーカボックス、６７はスピーカボックス、７３はスピーカボックス、７６はスピーカボックス、７８はスピーカボックス、８０はスピーカボックス、８５はスピーカボックスを示す。
【図１】
0004314395.tif 000002
【図２】
0004314395.tif 000003
【図３】
0004314395.tif 000004
【図４】
0004314395.tif 000005
【図５】
0004314395.tif 000006
【図６】
0004314395.tif 000007
【図７】
0004314395.tif 000008
【図８】
0004314395.tif 000009
【図９】
0004314395.tif 000010
【図１０】
0004314395.tif 000011
【図１１】
0004314395.tif 000012
【図１２】
0004314395.tif 000013
【図１３】
0004314395.tif 000014
【図１４】
0004314395.tif 000015